(57)【要約】      （修正有）【課題】シート部材とスラット固定板の背面にはシート部材等が突出せず、直進駆動系の背面側の収容容積を広くできる伸縮保護装置及びその設置構造を提供する。【解決手段】シート部材５と、このシート部材５の正面５ａに形成された複数の山部５ｅ及びこれらの山部５ｅと山部５ｅとの間に形成された谷部５ｆと、山部５ｅと谷部５ｆとが交互に形成されたシート部材５の正面５ａを覆い隠す保護板部６ｂと、この保護板部６ｂの基端側に形成された取付け板部６ａとを有してなり、シート部材５の一端から他端に亘って等間隔に固定されてなる複数のスラット６と、シート部材５の背面５ｂに固定されてなるとともに各スラット６を構成する取付け板部６ａと共にシート部材５の一部を挟持するスラット固定板７とを備えて、スラット固定板７とスラット６を構成する取付け板部６ａとによりシート部材５を挟持してなる部位は、各谷部５ｆの近傍であるように構成した。 【選択図】        図３
2008080463.tif 000002
【特許請求の範囲】
【請求項１】
シート部材と、
このシート部材の正面に形成された複数の山部及びこれらの山部と山部との間に形成された谷部と、
上記山部と谷部とが交互に形成された上記シート部材の正面を覆い隠す保護板部と、この保護板部の基端側に形成された取付け板部とを有してなり、該シート部材の一端から他端に亘って等間隔に固定されてなる複数のスラットと、
上記シート部材の背面に固定されてなるとともに上記各スラットを構成する取付け板部と共に該シート部材の一部を挟持するスラット固定板と、を備え、
上記スラット固定板とスラットを構成する取付け板部とにより上記シート部材を挟持してなる部位は、上記各谷部の近傍であることを特徴とする伸縮保護装置。
【請求項２】
前記シート部材は、前記山部の頂部を境にした両側が縫合されてなることを特徴とする請求項１記載の伸縮保護装置。
【請求項３】
前記請求項１又は請求項２記載の伸縮保護装置の一端が、機械可動部に固定されてなり、他端は自由端とされてなるとともに、該機械可動部が、該伸縮保護装置が縮小する方向に移動した際に、該伸縮保護装置の他端側を背面側に案内する他端側案内部材を備えてなることを特徴とする伸縮保護装置の設置構造。
【請求項４】
前記請求項１又は請求項２記載の伸縮保護装置を構成する各スラットの両端は、前記シート部材の両端よりも突出してなり、前記各スラット固定板の両端は、前記シート部材の両端よりも突出してなるとともに、前記スラットの両端よりもややスラットの中央側に位置してなり、前記各スラットを構成する保護板部と前記スラット固定板の突出した部位との間には隙間が形成され、
前記隙間には、機械可動部の移動に伴い該伸縮保護装置が移動する際に、前記スラット固定板の両側を案内するスラット案内部材が配置されてなることを特徴とする伸縮保護装置の設置構造。
【発明の詳細な説明】
【技術分野】
【０００１】
本発明は、伸縮保護装置及び伸縮保護装置の設置構造に関し、さらに詳しくは、工作機械、産業機械等の構成要素である機械可動部を、水分、油分、切子、塵埃等から保護するために使用される伸縮保護装置及び伸縮保護装置の設置構造に関するものである。
【背景技術】
【０００２】
工作機械や産業機械には、Ｘ軸方向及び／又はＹ軸方向さらにはＺ軸方向に直進駆動する直進駆動系が構成要素とされている場合が多い。例えば、工作機械には、ワークを切削する切削工具やレーザ光を照射するノズル等を備えた加工ヘッドが構成要素とされ、これらの構成要素は、Ｘ軸方向及び／又はＹ軸方向さらにはＺ軸方向に直進駆動される。ところで、こうした加工ヘッドの左右両側及び／又は上下両側には、該加工ヘッドによる加工の際に使用される水分、油分、切子又は塵埃から上記直進駆動系を保護する伸縮保護装置が配置されている。例えば、図８に示す伸縮保護装置は、図示しない機械可動部に設置されるものである。
【０００３】
この伸縮保護装置１００は、正面側に折曲された複数の山部１０１ａと、これらの山部１０１ａの間に折曲された谷部１０１ｂとが交互に形成されてなる蛇腹シート１０１と、この蛇腹シート１０１の正面を覆う保護板部１０２ｂと基端側に形成された取付け板部１０２ａとを有してなる複数のスラット１０２と、蛇腹シート１０１の背面１０１ｃに固定されるとともにスラット１０２の取付け板部１０２ａとで蛇腹シート１０１の一部を挟持するスラット固定板１０３とから構成されている。また、スラット１０２の保護板部１０２ｂは、スラット固定板１０３の正面側から次層のスラット固定板１０３の正面を通過して延設されている。
【０００４】
そして、各スラット固定板１０３の間隔を図８（ａ）に示す伸長された状態から、図示しない最上部のスラット固定板１０３を降下させて図８（ｂ）に示す短縮した状態にすることで、蛇腹シート１０１の山部１０１ａと谷部１０１ｂとが狭角化して、伸縮保護装置１００の全長が短縮される。また、各スラット固定板１０３の間隔を図８（ｂ）に示す伸長の状態から、図示しない最上部のスラット固定板１０３を上昇させて図８（ａ）に示す伸長した状態にすることで、蛇腹シート１０１の山部１０１ａと谷部１０１ｂとが広角化して、伸縮保護装置１００の全長が伸長される。
【発明の開示】
【発明が解決しようとする課題】
【０００５】
しかしながら、従来の技術による伸縮保護装置１００では、スラット１０２を構成する取付け板部１０２ａと上記スラット固定板１０３とにより挟持された蛇腹シート１０１の部位（挟持部位）は、図８（ａ）に示すように、各山部１０１ａの近傍であることから、スラット固定板１０３よりも背面側に蛇腹シート１０１の谷部１０１ｂが突出し、特に、図８（ｂ）に示す全長が短縮された状態において、その突出量が最大となる。ところが、このスラット固定板１０３よりも背面側には、直進駆動系の構成要素等が収容されているので、前記のように蛇腹シート１０１の谷部１０１ｂが突出すると、蛇腹シート１０１の谷部１０１ｂが直進駆動系の構成要素等に干渉する場合があり、伸縮保護装置の背面側の設計の自由度が大きく制約され、直進駆動系の収容容積を必要以上に広くしなければならないという問題があった。
【０００６】
そこで、本発明は、上述した従来技術による伸縮保護装置が有する課題を解決するために提案されたものであって、伸縮保護装置が伸縮するいずれの場合であっても、蛇腹シートとスラットを固定するスラット固定板の背面には蛇腹シート等が突出せず、直進駆動系の背面側の収容容積を広くできる伸縮保護装置及びその設置構造を提供することを目的とするものである。
【課題を解決するための手段】
【０００７】
上述した目的を達成するため、第１の発明（請求項１記載の発明）に係る伸縮保護装置は、シート部材と、このシート部材の正面に形成された複数の山部及びこれらの山部と山部との間に形成された谷部と、上記山部と谷部とが交互に形成された上記シート部材の正面を覆い隠す保護板部と、この保護板部の基端側に形成された取付け板部とを有してなり、該シート部材の一端から他端に亘って等間隔に固定されてなる複数のスラットと、上記シート部材の背面に固定されてなるとともに上記各スラットを構成する取付け板部と共に該シート部材の一部を挟持するスラット固定板とを備え、上記スラット固定板とスラットを構成する取付け板部とにより上記シート部材を挟持してなる部位は、上記各谷部の近傍であることを特徴とするものである。
【０００８】
この第１の発明では、スラット固定板とスラットを構成する取付け板部とにより上記シート部材を挟持してなる部位は、上記各谷部の近傍であることから、上記シート部材が山部及び谷部を介して縮小動作した際には、各山部が正面側、すなわちスラットの保護板部と保護板部との間に撓んで移動することとなる一方、谷部はシート部材の背面側に移動しない。したがって、この発明に係る伸縮保護装置によれば、該伸縮保護装置の背面側のスペースを侵すことが無く機械装置の設計の自由度を上げることができる。
【０００９】
また、伸縮保護装置は、機械可動部が上下移動する直進駆動系の前面を保護する場合は鉛直方向に伸縮するものであるが、機械可動部が水平移動する直進駆動系の上面又は側面を保護する場合のように、水平方向に伸縮するものであってもよい。
【００１０】
また、第２の発明（請求項２記載の発明）は、前記シート部材は、前記山部の頂部を境にした両側が縫合されてなることを特徴とするものである。
【００１１】
この第２の発明では、伸縮保護装置の伸縮動作を長期間繰り返した場合、又はシート部材に液体などが付着した場合であっても、伸縮保護装置が縮小された際には、必ず上記縫合された部位を介してシート部材の正面側に折曲され、不規則な部位で折曲されることがない。
【００１２】
また、第３の発明（請求項３記載の発明）は、伸縮保護装置の設置構造に係るものであって、前記第１又は第２の発明に係る伸縮保護装置の一端が、機械可動部に固定されてなり、他端は自由端とされてなるとともに、該機械可動部が、該伸縮保護装置が縮小する方向に移動した際に、該伸縮保護装置の他端側を背面側に案内する他端側案内部材を備えてなることを特徴とするものである。
【００１３】
この第３の発明では、機械可動部が、伸縮保護装置の他端側に移動すると、この伸縮保護装置の他端側は、他端側案内部材により該伸縮保護装置の背面側に案内され、該機械可動部の移動方向にて縮小されない。したがって、この第３の発明によれば、伸縮保護装置の他端側で縮小されるタイプの伸縮保護装置の設置構造に比べて、機械可動部の移動範囲を長いものとすることができる。換言すれば、この発明によれば、縮小時における伸縮保護装置が機械可動部の可動範囲を制約することにならず、この結果、該機械可動部を備えた工作機械や産業機械をコンパクト化することが可能となる。
【００１４】
なお、上記他端側案内部材により伸縮保護装置の他端側を、該伸縮保護装置の背面側に案内する距離は、この伸縮保護装置が設置される機械又は装置の構造により自由に設計することができ、必ずしも該距離が、伸縮保護装置が伸張された際の長さとする必要は無く、例えば、該伸縮保護装置が伸張された際の長さの半分の距離としても良い。このような距離に設定した場合には、上記他端側案内部材の長さ内において伸縮保護装置が縮小されることとなり、この縮小された伸縮保護装置の殆どの部位は背面側に移動し、正面側から視認されないこととなる。
【００１５】
また、第４の発明（請求項４記載の発明）に係る伸縮保護装置の設置構造は、前記請求項１又は請求項２記載の伸縮保護装置を構成する各スラットの両端は、前記シート部材の両端よりも突出してなり、前記各スラット固定板の両端は、前記シート部材の両端よりも突出してなるとともに、前記スラットの両端よりもややスラットの中央側に位置してなり、前記各スラットを構成する保護板部と前記スラット固定板の突出した部位との間には隙間が形成され、前記隙間には、機械可動部の移動に伴い該伸縮保護装置が移動する際に、前記スラット固定板の両側を案内するスラット案内部材が配置されてなることを特徴とするものである。
【００１６】
この第４の発明では、上記機械可動部の移動に伴い伸縮保護装置が移動する際には、上記スラット案内部材により案内されることから、高速で機械可動部が移動した場合であっても、伸縮保護装置が不規則な動作をすることなく、常に安定した状態で移動させることが可能となる。
【発明の効果】
【００１７】
上記第１の発明では、スラット固定板とスラットを構成する取付け板部とによりシート部材を挟持してなる部位は、各谷部の近傍であることから、シート部材が山部及び谷部を介して縮小動作した際には、各山部が正面側、すなわちスラットの保護板部と保護板部との間に撓んで移動することとなる一方、谷部はシート部材の背面側に移動しないので、伸縮保護装置の背面側のスペースを侵すことが無く機械装置の設計の自由度を上げることができるとともに、伸縮保護装置の背面側の機械要素収容部の小型化を図ることができる。
【００１８】
また、第２の発明では、シート部材は、山部の頂部を境にした両側が縫合されてなるので、伸縮保護装置の伸縮動作を長期間繰り返した場合、又はシート部材に液体などが付着した場合であっても、伸縮保護装置が縮小された際には、必ず上記縫合された部位を介してシート部材の正面側に折曲され、不規則な部位で折曲されることがない。
【００１９】
また、第３の発明では、機械可動部が、伸縮保護装置の他端側に移動すると、この伸縮保護装置の他端側は、他端側案内部材により該伸縮保護装置の背面側に案内され、該機械可動部の移動方向にて縮小されないので、伸縮保護装置の他端側への機械可動部の移動端位置に制限を受けることがない。
【００２０】
また、第４の発明では、機械可動部の移動に伴い伸縮保護装置が移動する際には、スラット案内部材により案内されることから、高速で機械可動部が移動した場合であっても、伸縮保護装置が不規則な動作をすることなく、常に安定した状態で移動させることが可能となり、機械装置の高速度化を図ることができる。
【発明を実施するための最良の形態】
【００２１】
以下、本発明を実施するための最良の形態を、図面を参照しながら詳細に説明する。この実施の形態に係る伸縮保護装置１は、図３に示すように、シート部材５と、このシート部材５の正面５ａを覆い隠す保護板部６ｂ及びこの保護板部６ｂの基端側に形成された取付け板部６ａとを有してシート部材５の正面５ａに図１又は図２に示す一端５ｃから他端５ｄに亘って等間隔に固定される複数個のスラット６と、シート部材５の背面５ｂに固定されてなるとともに各スラット６の取付け板部６ａとでシート部材５の固定部を挟持するスラット固定板７とを備えて構成される。
【００２２】
まず、伸縮保護装置１に備える各要素の形状的形態について説明する。シート部材５は、耐油性・難燃性で軟質性の合成樹脂材料からなる複合シート材を素材とし、図３に示す左側の正面５ａに複数の山部５ｅが、図１に示す一端５ｃから他端５ｄに亘って等間隔に形成されるとともに、これら山部５ｅの図３に示す頂部を境にした両側の縫合部５ｇがそれぞれ縫合されている。これらの縫合部５ｇは、図１に示すシート部材５の左端５ｈから右端５ｊの全幅に亘って縫合されるとともに、一端５ｃから他端５ｄに亘って等間隔に形成されている。また、このシート部材５には、後述するリベット８を挿通するリベット穴（符号は省略する）が、左端５ｈから右端５ｊの間の図１に示すリベット８，８，８，８に対応する４箇所にそれぞれ形成されている。
【００２３】
このシート部材５の正面５ａを覆う複数個のスラット６は、薄板状のステンレス鋼を素材とし、図３における断面が水平状の取付け板部６ａと、この取付け板部６ａの図示左端部が直角よりもやや開いた角度で図示の下方へ折曲され、下端部がやや背面側に折曲されてなる保護板部６ｂとにより略雁垂状にそれぞれ形成されている。これらのスラット６の一方の保護板部６ｂは、幅が図１に示すシート部材５の左端５ｈ及び右端５ｊからそれぞれ突出した左端６ｃから右端６ｄに亘って形成されている。
【００２４】
他方の取付け板部６ａは、幅が保護板部６ｂよりも切り込まれ、かつ、シート部材５の左端５ｈ及び右端５ｊと同一幅であって、図６に示す切込み左端６ｅから切込み右端６ｆに亘って形成されている。また、これらスラット６の取付け板部６ａには、後述するリベット８を挿通するリベット穴（符号は省略する）が、図６に示す切込み左端６ｅから切込み右端６ｆの間の図１に示すリベット８，８，８，８に対応する４箇所にそれぞれ形成されている。
【００２５】
また、シート部材５の背面５ｂに固定される複数個のスラット固定板７は、断面が図３に示す矩形にそれぞれ形成され、全長は図１に示すシート部材５の左端５ｈ及び右端５ｊからそれぞれ突出するとともに、図１に示すスラット６の保護板部６ｂの左端６ｃ及び右端６ｄよりもややスラット６の中央側である図６に示す左端７ａから右端７ｂに亘ってそれぞれ形成されている。これらスラット固定板７には、後述するリベット８を挿通するリベット穴７ｃが、左端７ａから右端７ｂの間の図１に示すリベット８，８，８，８に対応する４箇所にそれぞれ形成されている。
【００２６】
次に、これらの各要素により構成される伸縮保護装置１に係る実施の形態ついて説明する。図３に示すシート部材５の背面５ｂには、山部５ｅを挟む上下位置の図１又は図２に示すシート部材５の一端５ｃから他端５ｄに亘って等間隔にスラット固定板７がそれぞれ当接され、これら当接部位のシート部材５の正面５ａには、スラット６の取付け板部６ａがシート部材５を挟持するようにしてそれぞれ当接されて、かつ、４個のリベット８による締着により、シート部材５の当接部位がそれぞれ挟持されるとともに、スラット６の取付け板部６ａがスラット固定板７にそれぞれ固定されている。なお、前記４個のリベット８による各要素の締着は、例えば、ねじ部材等により締着することもできる。
【００２７】
また、スラット６の一方の保護板部６ｂは、幅が図１に示すシート部材５の左端５ｈ及び右端５ｊからそれぞれ突出した左端６ｃから右端６ｄに亘って形成され、他方の取付け板部６ａは、幅が保護板部６ｂよりも切り込まれたシート部材５の左端５ｈ及び右端５ｊと同一幅であって、図６に示す切込み左端６ｅから切込み右端６ｆに亘って形成されている。また、スラット固定板７は、全長が図１に示すシート部材５の左端５ｈ及び右端５ｊからそれぞれ突出するとともに、図１に示すスラット６の保護板部６ｂの左端６ｃ及び右端６ｄよりもややスラット６の中央側の図６に示す左端７ａから右端７ｂに亘ってそれぞれ形成されている。そして、図６に示すスラット６の保護板部６ｂと、スラット固定板７の一側面７ｄとの間には隙間ができるので、この隙間に後述する案内板１５の直進案内部１５ａ又は曲進案内部１５ｃが挿入されることで、伸縮保護装置１は上下に直進又は曲進移動するように案内される。
【００２８】
上記のようにして、４個のリベット８の締着により各要素が固定された伸縮保護装置１は、図３に示す伸張された状態では、シート部材５の背面５ｂに固定されたスラット固定板７は、一側面７ｄを正面側にし、他側面７ｅを背面側にした略水平姿勢となり、上層のスラット固定板７の下面と下層のスラット固定板７の上面とが、所定の間隔で対向する階層状に配置される。これは、上層のスラット固定板７の一側面７ｄ部から、下層のスラット固定板７の他側面７ｅ部の間に伸張されたシート部材５の張力により、下層のスラット固定板７の他側面７ｅ部が引上げられるが、スラット６の保護板部６ｂは、その下端部の位置が、下層のスラット６の取付け板部６ａよりも下方へ延設されるとともに、その下端又は下端部が当該下層のスラット６の保護板部６ｂの正面に当接するように形成されているので、スラット固定板７は鉛直方向へはほとんど姿勢変位することなく、ほぼ水平姿勢が維持される。そして、シート部材５の正面５ａは、これらの相互に当接して重合するスラット６により覆い隠される。
【００２９】
また、伸縮保護装置１が図３に示す伸張された状態において、シート部材５の山部５ｅと山部５ｅとの間に谷部５ｆがそれぞれ形成され、これら山部５ｅと谷部５ｆとは交互に形成される。そして、この伸張された状態から、図示しない機械可動部の移動により伸縮保護装置１が縮小されると、図４に示すように、スラット固定板７とスラット固定板７との間隔がそれぞれ縮小され、シート部材５の山部５ｅが正面側、すなわちスラット６の保護板部６ｂと保護板部６ｂとの間に撓んで移動することとなる一方、谷部５ｆはシート部材５の背面側（スラット固定板７の他側面７ｅよりも後方側）には移動しない。この状態から、さらに伸縮保護装置１が縮小されると、図５に示すように、シート部材５の山部５ｅがスラット６の保護板部６ｂと保護板部６ｂとの間に収納されることとなる一方、谷部５ｆはシート部材５の背面側には移動しない。
【００３０】
次いで、上述した伸縮保護装置１に係る作用効果を説明する。図３に示すように、スラット固定板７とスラット６を構成する取付け板部６ａとによりシート部材５を挟持してなる部位は、各谷部５ｆの近傍であることから、シート部材５が山部５ｅ及び谷部５ｆを介して縮小動作した際には、縫合された山部５ｅが正面側、すなわちスラット６の保護板部６ｂと保護板部６ｂとの間に撓んで移動することとなる一方、谷部５ｆはシート部材５の背面５ｂ側に移動しない。したがって、この発明に係る伸縮保護装置１によれば、該伸縮保護装置１の背面５ｂ側のスペースを侵すことが無く機械装置の設計の自由度を上げることができる。
【００３１】
また、図３に示す伸張された状態において、上層のスラット固定板７と、下層のスラット固定板７と、伸張されたシート部材５とによりＺ字状を形成することで、梃子作用により当該スラット６の下端部により次層のスラット６の前面を押圧し、機密性を向上させることができる。すなわち、各スラット固定板７の一側面７ｄ側が梃子作用の支点となり、当該スラット固定板７の他側面７ｅ側の力点にシート部材５の張力による荷重が上方へ負荷され、その反力が当該スラット固定板７に固定されたスラット６の取付け板部６ａの前方端の作用点に作用し、この反力により当該スラット６の保護板部６ｂの下方が次層のスラット６の前面を押圧する。
【００３２】
次いで、伸縮保護装置の設置構造に係る実施の形態ついて説明する。図７は工作機械の主軸可動部に設置された例を示す断面図であって、主軸頭４は図示しない上下駆動手段により上下移動される。この主軸頭４の軸受体１１の前面には、加工工具を装着する工具ホルダ１２が回動自在に装着され、上面には後述する第１の伸縮保護装置２が固定台１３を介して設置され、下面には第２の伸縮保護装置３がそれぞれ設置されている。なお、これら第１の伸縮保護装置２及び第２の伸縮保護装置３の各構成要素は、上述した伸縮保護装置１と同一の構成であるため、各要素の詳細な説明は省略するとともに、同一の符号を付して説明する。
【００３３】
まず、主軸頭４の上方に設置される第１の伸縮保護装置２は、最上端のスラット固定板７が、主軸頭４が上昇する上昇端近傍の上部の図示しない工作機械の枠体部に固定され、最下端のスラット固定板７は、この最下端のスラット固定板７から延出されたシート部材５の先端に、スラット固定板７と略同一長さの取付け板１４が固定され（図２参照）、この取付け板１４を固定台１３に図示しないねじ部材により締着することにより固定されている。
【００３４】
また、第１の伸縮保護装置２の左右（図７紙面の表裏方向）両端には、本発明のスラット案内部材である左右で２個の案内板１５が下方へそれぞれ垂下されている。これら案内板１５，１５の直進案内部１５ａは、図６に示すスラット６の保護板部６ｂと、スラット固定板７の一側面７ｄとの間に形成された隙間に挿入され、この隙間に後述する案内板１５の直進案内部１５ａが挿入されることで、第１の伸縮保護装置２は上下に直進移動するように案内される。なお、これら案内板１５，１５の固定部１５ｂは、図示しない工作機械の枠体部に固定されている。
【００３５】
次に主軸頭４の上方に設置される第２の伸縮保護装置３は、図７に示すように、最上端のスラット固定板７が取付け板１７（図２、図６参照）に固定され、この取付け板１７が軸受体１１の下面に図示しないねじ部材により締着することにより固定されて、下端部は後述する収納受け部材１９上に収納される。その収納受け部材１９はその後端部が、主軸頭４の下方に設置された仕切り板１８の下面側に取付けられ、仕切り板１８の図示左側と、収納受け部材１９の図示左側との間には、第２の伸縮保護装置３の各シート部材５、スラット６、スラット固定板７等の構成要素が挿入可能な開口（符号は省略する）が形成されているとともに、収納受け部材１９の内周面は曲面に形成されている。
【００３６】
また、案内板１５の直進案内部１５ａと連なる下端部には、仕切り板１８と略同一高さの位置から始まる曲進案内部（本発明の他端側案内部材）１５ｃが形成され、この曲進案内部１５ｃの曲面は、収納受け部材１９の内周曲面と並行し、その後端部は収納受け部材１９と共に仕切り板１８に固定されている。
【００３７】
そして、主軸頭４が下降すると、第１の伸縮保護装置２は各スラット固定板７の間隔が順次拡大されながら、図６に示すスラット６の保護板部６ｂと、スラット固定板７の一側面７ｄとの間に形成された隙間に挿入された案内板１５の直進案内部１５ａにより案内されて下降する。また、これと同時進行的に、第２の伸縮保護装置３は各スラット固定板７の間隔が順次縮小されながら、案内板１５の直進案内部１５ａにより案内されて下降するとともに、案内板１５の下端側の曲進案内部１５ｃに差し掛かると、第２の伸縮保護装置３の下端側は、仕切り板１８と収納受け部材１９との間の開口部から、その内部に案内板１５の曲進案内部１５ｃと収納受け部材１９とに案内されて順次背面側に収納される。
【００３８】
また、主軸頭４が上昇すると、第１の伸縮保護装置２は各スラット固定板７の間隔が順次縮小されながら、案内板１５の直進案内部１５ａにより案内されて上昇する。また、これと同時進行的に、第２の伸縮保護装置３は各スラット固定板７の間隔が順次拡大されながら、案内板１５の直進案内部１５ａ又は曲進案内部１５ｃにより案内されて上昇するとともに、下端部の第２の伸縮保護装置３は案内板１５の曲進案内部１５ｃから直進案内部１５ａに差し掛かって順次上昇する。
【００３９】
なお、上述した伸縮保護装置の設置構造を構成する案内板１５が伸縮保護装置３を案内する面及び／又は収納受け部材１９が伸縮保護装置３を背面側に案内・支持する面、或いは、これらの面に摺接するスラット固定板７又はスラット６の正面には、スラット固定板７と案内板１５との摺接抵抗又はスラット６と収納受け部材１９との摺接抵抗を緩和する表面処理が施されていてもよい。例えば、上記案内板１５が伸縮保護装置３を案内する面及び／又は収納受け部材１９が伸縮保護装置３を背面側に案内・支持する面に、テフロン（イー・アイ・デュポン・ドウ・ヌムール・アンド・カンパニー社の登録商標）コーティングを施したものであっても良い。こうした表面処理を上記各面に施すことにより、機械可動部が高速で移動した場合、シート部材５（特に、スラット固定板７が固定されている部位）に繰り返し作用する大きな引張力や摺接摩擦力により切断したり、大きな摺接音が発生したりすることを有効に抑制することができる。
【００４０】
次いで、上述した伸縮保護装置の設置構造に係る作用効果を説明する。主軸頭４の移動に伴い第１及び第２の伸縮保護装置２，３が移動する際には、スラット案内部材である案内板１５の直進案内部１５ａ又は曲進案内部１５ｃにより案内されることから、高速で主軸頭４が移動した場合であっても、各伸縮保護装置２，３が不規則な動作をすることなく、常に安定した状態で移動させることが可能となる。
【００４１】
また、主軸頭４が、第２の伸縮保護装置３の下端側に移動すると、この第２の伸縮保護装置３の下端側は、案内板１５の曲進案内部１５ｃにより第２の伸縮保護装置３の背面側に案内され、主軸頭４の移動方向にて縮小されない。したがって、第２の伸縮保護装置３の下端側で  縮小されるタイプの伸縮保護装置の設置構造に比べて、主軸頭４の移動範囲を長いものとすることができる。
【００４２】
なお、本発明に係る伸縮保護装置の実施の形態においては、伸縮保護装置及びこの伸縮保護装置が設置される機械可動部の移動方向は、上下移動する構成としたが、上下移動以外の例えば、水平移動にも構成できるものである。また、伸縮保護装置の設置構造に係る実施の形態においては、スラット案内部材である案内板の案内部は、直進案内部と曲新案内部とによる構成としたが、直進案内部又は曲新案内部のみによる構成もできる。
【図面の簡単な説明】
【００４３】
【図１】本発明の実施の形態に係る伸縮保護装置の全体を示す正面図である。
【図２】図１の右側面図である。
【図３】図２の部分拡大図であって、伸縮保護装置が伸張した形態を示す。
【図４】図３に示す伸縮保護装置が縮小する途中の形態を示す。
【図５】図４に示す伸縮保護装置がさらに縮小した形態を示す。
【図６】図１の上面図である。
【図７】工作機械の主軸可動部における実施の形態を示す断面図である。
【図８】従来の技術に係る伸縮保護装置の断面図である。
【符号の説明】
【００４４】
１  伸縮保護装置
５  シート部材
５ａ  正面
５ｂ  背面
５ｃ  一端
５ｄ  他端
５ｅ  山部
５ｆ  谷部
５ｇ  縫合部
６  スラット
６ａ  取付け板部
６ｂ  保護板部
７  スラット固定板
１５  案内板
１５  直進案内部
１５ｃ  曲進案内部
１９  収納受け部材    
【図１】
2008080463.tif 000003
【図２】
2008080463.tif 000004
【図３】
2008080463.tif 000005
【図４】
2008080463.tif 000006
【図５】
2008080463.tif 000007
【図６】
2008080463.tif 000008
【図７】
2008080463.tif 000009
【図８】
2008080463.tif 000010